Podtech/llm-jp-corpus-v4-ja_patent huggingface dataset:
(57)【要約】【課題】菜っ葉の軸を茹でる際、手を焼けどせずに、しかも簡単に脱着が出来る用具を提供する。【解決手段】内板と外板を持つコの字型で、外板下部内側に支点を持ち、支点反対側を上下に動かすことが出来る棒状のストッパーを持ち、固定部材にて主軸中央付近に固定した事を特徴とした、青菜の軸調理器具。【選択図】図１
2014239845.tif 000002
【特許請求の範囲】
【請求項１】
内板と外板を持つコの字型で、外板下部内側に支点を持ち、支点反対側を上下に動かすことが出来る棒状のストッパーを持ち、固定部材にて主軸中央付近に固定した事を特徴とした、青菜の軸調理器具。
【請求項２】
主軸先端に、切れ目を持ったリングを設けたことを特徴とした、請求項１の青菜の軸調理器具。
【発明の詳細な説明】
【技術分野】
【０００１】  本発明は、青菜を茹でる際、葉っぱ部分より硬い軸を長く茹でることを可能にした、青菜の軸調理器具である。
【背景技術】
【０００２】  従来、青菜を茹でる際、長めの箸等で菜っ葉の上部を持ったり、厚てのゴム手袋等で持つなどして、菜っ葉軸部分と葉っぱ部分の茹でる時間を調節していた。
【先行技術文献】
【特許文献】
【０００３】
【特許文献１】特開２０１０−１１０３７６号公報
【発明の概要】
【発明が解決しようとする課題】
【０００４】  そのために次のような問題点があった。
青菜の軸のみを葉っぱより長く茹でなければならず、その為青菜を立てた状態で茹でねばならないが、（特開２０１０−１１０３７６）の場合、器具全体を沸騰したお湯に漬けて置かねばならず、取り出す際も熱くて大変である。
本発明は以上の問題点を解決するためになされたものである。
【課題を解決するための手段】
【０００５】  持ち手部分がプラスチックなど熱を伝えにくい材料で、反対側先端に切れ目部分を持つリングを設け、主軸中央部分に、ニップル（商標登録）等の固定部材にて留め金を持つストッパー部を設ける、以上を特徴とする青菜の軸調理器具である。
【発明の効果】
【０００６】  持ち手部分がプラスチック等の為、手を火傷することも無く、菜っ葉の量に合わせ、先端部の切れ目部分を手で開き、又は狭める事で調節ができ、主軸途中に設けたストッパー部の留め金を指で下げる事で、鍋の壁面を内外両側から挟み込むことができ、それにより主軸をやや水平に固定する事ができる青菜の軸調理器具である。
【発明を実施するための形態】
【０００７】    以下、本発明の実施の形態について説明する。
（イ）  鍋上部に持たせられた膨らみに、上より被せる事が出来る幅を持ち、内板（４）及び外板（５）を持つコの字型のストッパー部（３）で、外板（５）内側下部にパイプ部（７）を設け、パイプ部（７）には、左右から差し込んで上下に動く止め具（６）を持ち、止め具（６）の長さ（ａ）と（ｂ）間の寸法は内板（４）と外板（５）間の寸法と同じ寸法にする。
以上の構造からなるストッパー部（３）で、固定部材（８）にて主軸（１）中央部付近に固定される。
（ロ）  主軸（１）先端部には、手で適度な広さに調節が可能で弾力性を持たせるために、切れ目部（１０）を持つリング（９）を設ける。
本発明、青菜の軸調理器具は以上の構成によりなっている。
（ハ）  本発明を使用するときは、主軸（１）及び、持ち手（２）を持ち、ストッパー部（３）を鍋上部（１２）に、そのまま被せるように差し込み、ストッパー部（３）に設けた留め金（６）の先端を指で下方に押し下げる。
その際、留め金（６）の長さ（ａ）（ｂ）間は、内板（４）及び外板（５）の長さに合わせてある為、内板（４）と、留め金（ａ）の間に入った鍋側面（１１）の厚さ分が押し広げられ、外板（５）が板バネ状に力が加わり、鍋側面板（１１）を挟む事で鍋上部に、本発明の青菜の軸調理器具をセットする事が出来る。
（ニ）  その後、菜っ葉軸部（１３）を、切れ目部（１０）の方からリング（９）に立て掛けるように鍋に入れ、菜っ葉軸部（１３）が茹であがる頃をみて、留め金（６）を上に押し上げて、当調理器具を外し、菜っ葉全体を鍋に入れ茹で上げる
以上が、本発明、青菜の軸調理器具の使用方法である。
【図面の簡単な説明】
【０００８】
【図１】本発明の全体の斜視図。
【図２】本発明のストッパー部の分解図。
【図３】本発明のストッパー部の斜視図。
【図４】本発明のストッパー部留め金を鍋側面にセットした状態の斜視図。
【図５】本発明を鍋にセットした状態の一部断面図
【図６】本発明の使用状態図。
【符号の説明】
【０００９】  １  主軸
２  持手
３  ストッパー部
４  内板
５  外板
６  留め金
７  パイプ
８  固定部材
９  リング
１０  切れ目部
１１  鍋側面の断面図
１２  鍋上縁部
ａ  留め金の前部
ｂ  留め金の後部
１３  菜っ葉軸部
【図１】
2014239845.tif 000003
【図２】
2014239845.tif 000004
【図３】
2014239845.tif 000005
【図４】
2014239845.tif 000006
【図５】
2014239845.tif 000007
【図６】
2014239845.tif 000008
(57)【要約】【課題】  空中電波電力供給装置において対象電波の選定と要求電力量の確保を可能にす  る方法の確立した。【解決手段】  空中電波電力供給装置において最も効率の良い空中電波として電灯線漏れ電波を対象とすることにより高い電圧得ることが可能となった。また、空中電波電力供給装置実施図にあるようにアンテナから平滑化回路部までを並列に複数配置することにより要求電力にあった電力を確保するための手段としての方法が確立できた。【選択図】    図３
2014090561.tif 000002
【特許請求の範囲】
【請求項１】
空中に存在する電波を取り込み使用可能な電力に変換し電力を供給す
る空中電波電力供給装置。  
【請求項２】
本システムは対象とする電波を電灯線の漏れ電波とする空中電波電力
供給装置。
【請求項３】
請求項２に記載の空中電波電力供給装置において、整流、定
電圧制御、平滑化、電力蓄電等は簡易なＤ（ダイオード）、Ｃ（容量）、Ｒ（抵抗）、等で構
成されるものとする。
【請求項４】
請求項３に記載の空中電波電力供給装置において、同様な回路を複数
個配置し、空中電波電力供給装置が要求される電力量をみたすことを特徴とする。
【発明の詳細な説明】
【技術分野】
【０００１】
本発明は必要とする電力を空中に存在する未使用電波を取り込み使用可能電力に変換さ
せ使用する省エネルギーな空中電波電力供給装置。
【背景技術】
【０００２】
一般に、環境発電としては放送用電波を取り込み使用可能電力に変換させ使用すること
が考えられていたが電力量が少なく実用に至っていない。
【０００３】
これは、電波の発生地点から空中電波電力供給装置までの距離が遠いために電波が衰退
しており取り込み後無電力で増幅することは困難であった。
【０００４】
そのため要求される電力を空中電波電力供給装置が供給することは困難であった。  
【先行技術文献】
【特許文献】
【０００５】
【特許文献１】特開２００５−３５４８８８号公報
【特許文献２】特開２００３−５１０８７１号公報
【特許文献３】特開２００６−５０５９７３号公報
【非特許文献】
【０００６】
【非特許文献１】「電波モニタリング  カタログ」日本電業工作株式会社
【発明の概要】
【発明が解決しようとする課題】
【０００７】
しかしながら以上のような空中電波電力供給装置での電源供給は要求される電力を満足
することができなかった。原因は電波の発生場所が遠方のため電波の衰退が大きかった。
そこで電波の発生場所が近く十分な電力を供給可能な電波を供給源とする空中電波電力
供給装置を開発する。
【０００８】
本発明は上記実情を考慮してなされたものである。数々の開発時ノイズとして存在した
電灯線よりの電波を今回の空中電波電力供給装置の供給源とすることを目的とする。
【課題を解決するための手段】
【０００９】
第１の発明は、空中に存在し未利用の電波を取り込み使用可能な電力に変換し、各種
電子機器の電源として電力を供給する空中電波電力供給装置である。発電に要する燃料の
必要が無くなり発電コストの低減がはかられる。
【００１０】
電波の取り込みは各種のアンテナにて行う空中電波電力供給装置である。
【００１１】
第２の発明は、未利用の電波としては放送用電波等が存在するが受信・変換効率が悪い
ために受信・変換効率の良い電灯線漏れ電波を使用する空中電波電力供給装置である。
【００１２】
第３の発明は、第２の空中電波電力供給装置においてアンテナ部・整流回路部・平滑化
回路部・定電圧回路部・電力蓄電部によるが各回路は簡易なＤ（ダイオード）、Ｃ（容量）、
Ｒ（抵抗）等の部品により構成される安定の良い空中電波電力供給装置である。
【００１３】
第４の発明は、第３の発明の空中電波電力供給装置において要求電力を供給する為に
各回路部を複数用いて構成する空中電波電力供給装置である。
【図面の簡単な説明】
【００１４】
【図１】本発明の第１及び第２の実施形態に係る空中電波電力供給装置基本構成図
【図２】本発明の第３の実施形態に係る空中電波電力供給装置の各回路部詳細図  １）整流回路部・・・整流機能を行う回路構成  ２）平滑化回路部・・平滑化機能を行う回路構成３）定電圧回路部・・定電圧機能を行う回路構成４）電力蓄電部・・・電力蓄電機能を行う回路構成
【図３】本発明の第４の実施形態に係る空中電波電力供給装置実施図
【発明を実施するための形態】
【００１５】
以下、本発明の各実施形態について図面を参照して説明する。
（第１の実施形態）
本実施形態は、図１に示す本発明の第１の実施形態の係る空中電波電力供給装置の基本
構成を示す。
【００１６】
空中電波を取り込むためにアンテナ部・整流回路部・平滑化回路部・定電圧回路部・電
力蓄電部を有する空中電波電力供給装置である。
【００１７】
（第２の実施形態）
本実施形態は、図１に示す本発明の第２の実施形態に係る空中電波電力供給装置の基本
構成を示す。
【００１８】
この空中電波電力供給装置は、アンテナ部のすぐ後に整流回路部がつながっている。
これは、アンテナ部で取り込んだ電波を増幅等の変換を行わず直ぐ整流しても問題が
ないほど高電圧の電波を取得可能な電灯線漏れ電波を使用することにより可能となっ
た空中電波電力供給装置である。
【００１９】
（第３の実施形態）
本実施形態は、図２の示す本発明の第３の実施形態に係る各回路部詳細図に示す。
【００２０】
１）整流回路部は、アンテナ部よりの電波をＣ１の容量で受信しＤ１，Ｄ２のダイオー
ドを使用し交流電力を直流電力に変換する整流回路部である。
【００２１】
２）平滑化回路部は、Ｃ２の容量により整流するが安定した直流になりきれない部分を平
滑化して安定化した直流電源を生成する回路部である。
【００２２】
３）定電圧回路部は、電力蓄電部に充電を行い使用目的の電圧に達した後も電力が未使
用で充電を続けると電力蓄電部の電圧は電灯線電圧近くまで上昇し続ける。そのために部
品の破損や部品の高熱化の恐れがある為に一定電圧以上上昇しない働きをする。この働き
をさせるものとしてＤ３のツェナーダイオードを用いる。また、微調整のためにＲ１の抵
抗を設置する回路部である。
【００２３】
４）電力蓄電部は、直流に変換された電源を蓄電しておく目的でＣ３の容量を設置する
回路部である。  
【００２４】
（第４の実施形態）
本実施形態は、図３の示す本発明の第４の実施形態に係る空中電波電力供給装置実施図
に示す。
【００２５】
要求電力を満足させる為には電灯線の漏れ電波をできるだけ多く取り込む必要がある。
そのために図３に示すようにアンテナから平滑回路部までを並行に複数設置し定電圧回路
部と電力蓄電部は各々１ヶ所以上設置とする。
【００２６】
なお、本発明は上記実施形態に限定されるものでなく、実施段階ではその要旨をいちだ
つしない範囲で種々に変形することが可能である。また、各実施形態は可能なかぎり組み
合わせて実施してもよく、その場合組み合わせた効果が得られる。さらに、上記各実施形
態には種々段階の発明がふくまれており、開示される複数の構成用件における組み合わせ
により種々の発明が抽出されえる。
【００２７】
その他、本発明はその要旨を逸脱しない範囲で種々変形して実施できる。
【図１】
2014090561.tif 000003
【図２】
2014090561.tif 000004
【図３】
2014090561.tif 000005
(57)【要約】【課題】短時間で簡単に家庭でも調理できる美味しい麻婆豆腐の調理法を提供すること。【解決手段】豆腐に衣をつけることにより、調理中から豆腐の水分が流出するのを防ぎ、さらに衣に下味をつけることにより、家庭でも簡単に美味しい麻婆豆腐を提供することが出来る。【選択図】なし【特許請求の範囲】
【請求項１】
豆腐に馬鈴薯澱粉およびワキシーコーンスターチ、薄力粉等の穀粉類をまぶし揚げ焼きにして得られた衣付き豆腐を用いることを特徴とする麻婆豆腐。
【発明の詳細な説明】
【技術分野】
【０００１】  本発明は、麻婆豆腐の調理法に関する。
【背景技術】
【０００２】  麻婆豆腐は家庭料理として定着しているが、中華料理店等で提供される物と家庭で作られる物とは、美味しさにおいて明白な差がある。
これは、料理人の経験による技術もあるが、業務用厨房機器で高火力を用い手間を掛けた結果得られるものであり、家庭で美味しい麻婆豆腐のは難しい。家庭では、美味しく、あまり手間を掛けず短時間で提供出来る事が望まれている。
【発明の概要】
【発明が解決しようとする課題】
【０００３】  家庭ではレトルトの素が使われることが多いが、作り方の通りに調理すると調理後豆腐から水分が流出し時間とともに澱粉によるとろみは無くなり風味も落ちる。豆腐は煮こむことで水分が流出しタレを吸い美味しくなるがそれでは時間が掛かる。先に豆腐の水分を抜こうと、重しを乗せたり湯通ししたり電子レンジで加熱剃る方法もあるが、手間の割に水分流出は防ぎきれない。材料である挽肉、調味料である豆板醤や醤油においてもよく炒めることが香ばしさを生むことにつながるが、料理店同等の高火力は家庭にはなく、長時間強火で調理する事自体ガス代金を気にする家庭に不向きである。常法で最後の手順である水溶き片栗粉でタレにとろみをつける際に豆腐を崩さないでたれ全体を混ぜるにも技術が必要となる。
【課題を解決するための手段】
【０００４】  本発明は豆腐に馬鈴薯澱粉およびワキシーコーンスターチ、薄力粉等の穀粉類をまぶし揚げ焼きにして得られた衣付き豆腐を用いることにより上記課題を解決したものである。
【発明の効果】
【０００５】  本発明の調理法を用いれば豆腐は崩れなくなり、水分が流出することも無く時間と手間を掛けずに、家庭でも美味しい麻婆豆腐を提供する事が出来る。
【発明を実施するための形態】
【０００６】  豆腐を切ったものに馬鈴薯澱粉およびワキシーコーンスターチ、薄力粉等の穀粉類をまぶし、油を敷いたフライパン等で両面揚げ焼きにする。両面合計で１分程度加熱するとカリッと香ばしい衣付き豆腐になり水分が流出を防げる。穀粉類に食塩、風味調味料、糖類、魚節類、粉末昆布等を適宜含有させると下味がつくのでより美味しい。この衣付き豆腐を用い常法で麻婆豆腐を調理すれば、崩れず簡単に美味しい麻婆豆腐を提供することが可能となる。
(57)【要約】【課題】トイレットペ−パ―ホルダ―にロ−ル状トイレットペ−パ−を挿入して下部からペ−パ−の掴み出しが片手でできるここと、ホルダ−本体の取り付け、取り外しが簡単にできるようにするものである。【解決手段】トイレットぺ−パ−ホルダ−内のペ−パ−位置を軸棒でホルダ−本体の内に中空に設定することで、巻かれたペ−パ−の先端が前後どちら向きでも挿入できる。また、軸棒はロ−ルの芯の大小に係わらず細い軸棒なので全てに使用可能である。  ペ−パ−を取り出すにあたり、下部張り出し部とカッタ−の間に全体に密着しているので、張り出しのどこからでも掴み取れる。  トイレットペ−パ−ホルダ−に設置板を設けことにより、取り付け取り外しが簡単にできる。形状が箱型で頑丈なので、製作材料は木、竹，紙類で可能である。環境にも良く、軽量化され安価に作れる。【選択図】  図１
2014090939.tif 000002
【特許請求の範囲】
【請求項１】
トイレットペ−パ−ホルダ−本体（１）内に挿入するロ−ル状のトイレットペ−パ−は中心に空間があり、そこに通す軸棒（３）を設け、軸棒落し溝（２）から下部にトイレットペ−パ−を通過させるペ−パ−誘導空間を設け、ペ−パ−の巻き戻りを防ぐペ−パ−押え板（６）を設け、先端部にペ−パ−を切るため少し上向きのカッタ−（７）を設けたトイレットペ−パ−ホルダ−。
【請求項２】
トイレットペ−パ−ホルダ−本体の取り付け、取り外しに用いる設置板（１０）。
【発明の詳細な説明】
【技術分野】
【０００１】
本発明はトイレで使用するロール状のトイレットペ−パ−を片手で取り、次の取り出しはペ−パ−の先端が下部張り出し部に密着して取り出し易い状態にしたトイレットペ−パ−ホルダ−と、ホルダ−本体を取り付ける設置板である。      
【背景技術】
【０００２】
従来のトイレットペ−パ−ホルダ−はペ−パ−の引き出し、切断のとき両手を使う必要があり不便であった。
トイレットペ−パ−を挿入するのにペ−パ−の方向を確認する必要があり不便であった。
トイレットペ−パ−ホルダ−の老朽化や破損に対して取替えが難しかった。
【先行技術文献】
【特許文献】
【０００３】
【特許文献１】特開２００９−１７２０７５号  公報
【特許文献２】特開２００７−１４３６３号    公報
【特許文献３】特開２００４−２７５５３９号  公報
【発明の概要】
【発明が解決しようとする課題】
【０００４】
従来のトイレットペ−パ−は切断するのにロ−ル状のペ−パ−に被さったカバ−を押えて切り、取り出しはカバ−を持ち上げて両手を使用しなければならず、切断後はカバ−の内側に切り口が隠れていて取出しが難しい。
トイレットペ−パ−をホルダ−内に挿入するにペ−パ−の向きを確認する必要があり面倒である。
トイレットペ−パ−ホルダ−の取り付け取り外しが難しく、取り外した跡の美観が損なわれている。
【課題を解決するための手段】
【０００５】
本発明のトイレットペ−パ―ホルダ―は、ロ−ル状のペ−パ−を挿入するホルダ−本体(１)と、ペ−パ−を引き出すためにペ−パ−誘導空間(８)と、引き出されたペ−パ−の巻き戻りを防止するペ−パ−押さえ板(６)に、ペ−パ−が乗る張り出し部(９)と少し上向きになったカッタ−(７) を設ける。
また、トイレットペ−パ―ホルダ―の取り付け、取り外しようの設置板（１０）に架け具（１１）を設ける。以上の構成からなるトイレットペ−パ−ホルダ−と設置板である。
【発明の効果】
【０００６】
本発明はトイレットペ−パ−を挿入するに、ペ−パ−の向きはペ−パ−先端が前後どちらに向きでも設定できる。
切断した後はペ−パ−の巻き戻りを防ぐペ−パ−押え板を設けている。トイレットペ−パ−の掴み出しはカッタ−と張り出し部全体に密着しているので、どの位置からも簡単に片手で掴み出し切断できる。
またロ−ル状のペ−パ−の芯の空間部分に大小ありが、細い軸棒により、どのサイズにも適応できる。
形状は箱形なので上下左右に押されても六面の張力で頑丈になっているので従来の製作材料にとらわれず木、竹、紙類にて軽量化でき環境にも良い。
設置板は壁面に接着剤にて付着できる。
【図面の簡単な説明】
【０００７】
【図１】本発明の第１の実施の形態に係る外観を示す外観斜視図である。
【図２】図１の中央部のペ−パ−の流れを示す縦断面図である。
【図３】図１の横断面図で軸棒、ペ−パ−誘導空間や押え板の位置を示している。
【図４】図２、図３に示した設置板の斜視図でありる。
【発明を実施するための形態】
【０００８】
本発明のトイレットペ−パ―ホルダ−は図１に示されるようにトイレットペ−パ−を上から挿入し、下へペ−パ−を下ろし、ペ−パ−誘導空間からペ−パ−押え板の下を通して先端のカッタ−にて切断する。
図４はホルダ−本体を壁面に設定するための設置板である。
【実施例】
【０００９】
図１に示すように本トイレットペ−パ−ホルダ−本体（1）の内側に軸棒落し溝（2）を作り、軸棒（3）にロ−ル状のペ−パ−を通して底辺に接しない高さの溝に入れる。ホルダ−内の中空にペ−パ−はあるので摩擦や障害が少なく投入方向は限定されない。また、ペ−パ−の芯を通すのに芯の大小があり、細い軸棒なので全てのトイレットペ−パ−に適応できる。トイレットペ−パ−の中心に軸棒を通すに際しペ−パ−が安定するように滑り止め（4）を設ける。
図２に示すようにロ−ル状ペ−パ−（5）を下に垂らし、図３に示したペ−パ−誘導空間（8）からペ−パ−を送り、巻き戻り防止の押え板（6）を少し持ち上げて通し、張り出し部（９）先端のカッタ−（７）に設定する。
図４はトイレットペ−パ―ホルダ―本体の取り付け、取り外しを簡単にするための設置板（１０）を設けている。
また、ホルダー自体が箱形なので、ペ−パ−押え板や軸棒などが補強に役立ち頑丈になっているので製作材料も木、竹、紙類で作り、環境にも良く軽量で安価にできる。
【符号の説明】
【００１０】
１ トイレットペ−パ―ホルダ―
２ 軸棒落し溝
３ 軸棒
４ ペ−パ−止め
５ ロ−ル状トイレットペ−パ−
６ ペ−パ−押え板
７ カッタ−
８ ペ−パ−誘導空間
９ 張り出し部
10  設置板
11  ホルダ−架け具
12  架け穴
13  蓋
【図１】
2014090939.tif 000003
【図２】
2014090939.tif 000004
【図３】
2014090939.tif 000005
【図４】
2014090939.tif 000006
(57)【要約】      （修正有）【課題】従来の市販の一般的な靴に、簡単に器具を取り付ける事が可能になるようにする取付け具を提供する。【解決手段】従来の靴の中敷きと同様な形状で、中敷きの様に足裏と靴底の間に挟み込んで使用する靴底に沿った形状の硬質柔軟材質のシート状本体１００の後端部からほぼ直角に上向きに突出する柄１１０の端部に取付け具１１５があり固定穴１１７を有する。この敷板は硬質であり、取付け具に負荷がかかってもＬ字型形状を保てるような材質にする。【選択図】図３
2014090886.tif 000002
【特許請求の範囲】
【請求項１】
靴の踵部分に様々な機器や器具を取り付けて固定するための機器取付け具であって、
靴底と足裏の間に狭まれる敷板の後端部から上向きに、踵と靴の隙間から突出する柄に取付け具を具備する事を特徴とする靴用機器取付け具。
【発明の詳細な説明】
【技術分野】
【０００１】
本発明は靴に様々な機器や器具を取り付ける事を可能にするもので、靴底と足裏の間に挿入する中敷きの様な形態で使用する器具の取付け具である。
【背景技術】
【０００２】
靴に様々な機器や器具を簡単に固定する事が出来れば便利であるが、従来の靴にはその様に器具を取り付け可能にする取付具は装備されていない。また、靴に何かを取り付けて機能させると云う発想は存在しなかった。
その様な靴が存在しないので、従来の市販の靴に中敷きの様にして使用して履くだけで器具を取り付ける事が可能になれば便利である。
【発明の開示】
【発明が解決しようとする課題】
【０００３】
本発明は市販の靴に簡単に機器や器具を取り付けて固定する取付け具を装備する事を可能にするためになされた。
【課題を解決するための手段】
【０００４】
靴の中敷きの様に、足裏と足裏の間にシート状の敷板を挟み込んでこの靴を履き、この敷板の踵側からＬ字型に上向きに突出する柄を設けて、この柄に取付け具を具備する。そして、この取付け具に器具や補助具を取り付ける。
この敷板は硬質であり、取付け具に負荷がかかってもＬ字型形状を保てるような材質にする。
【発明の効果】
【０００５】
本発明を中敷きの様に挿入して履くだけで色々な器具を靴に取り付ける事が可能になる。
そして本発明の取付け具に、往復発電機を取付て歩行すれば、歩行のエネルギーで発電する事が可能になり、防滴カバーを取り付けて、この靴全体を覆う様にすれば靴が雨で濡れる事を防止する事が出来る。
【図面の簡単な説明】
【０００６】
【図１】本発明の全体図
【図２】靴に本発明を挿入した図
【図３】本発明を挿着した靴の一部を切り取った一部断面図
【図４】往復式発電機を本発明に固定し、歩行により往復桿が地面に押しつ            けられた図
【図５】往復式発電機を本発明に固定し、歩行により往復桿が地面から離さ            れた図
【図６】腰部に固定した引っ張り往復式発電機の紐体と本発明を結合し、歩            行により紐体を引っ張って発電している図
【図７】防滴カバーを取り付けた図
【発明を実施するための形態】
【０００７】
以下図を用いて本発明の実施例について説明する。
図１に示す様に、靴の中敷きの様に足裏と靴底の間に挟み込んで使用する靴底に沿った形状の硬質柔軟材質のシート状本体１００の後端部からほぼ直角に上向きに突出する柄１１０の端部に取付け具１１５があり固定穴１１７を有する。
【０００８】
これを図２に示す様に靴Ｓに敷いて、履く事により、図３に示す様に、足の踵Ｋと靴Ｓの隙間から柄１１０が突出しする。そして固定部１１５が踵の後ろ部分に位置する様になるので、これに色々な器具を取り付ける。
【０００９】
図４、図５はこの固定穴１１７に、往復式発電機Ｄをボルト止めして使用する例である。この様にして靴Ｓに固定された往復発電機Ｄは、歩行する事により、図４に示す様に往復桿Ｄ１が地面に押しつけられたり、図５に示す様に離されたりして往復式発電するので、これで内蔵の二次電池を充電し、これを携帯機器の電源として交換して使用する。或いは電源コードを直接接続して携帯機器に給電する事も可能になる。
【００１０】
また図６、図７に示す様に、紐体を引っ張って発電する紐体引っ張り式発電機ＷＤを身体のベルト部分に固定して、紐体Ｗの端部を取付け具１１５に結合して歩行すれば、歩行により紐体が引っ張られたり、引き戻されたりして発電する。
【００１１】
又、発電以外の機能として、例えば図７に示す様に防滴カバーＣを取り付けて、降雨時に使用すれば、靴Ｓ本体が濡れるのを防止する事が可能になる。
本説明に於いては取付け具１１５に単に固定穴１１７を有する例について記述したが、バネやネジ等を使って、脱着が容易な着脱機構を有する取付具を具備すれば、より便利に使用することが可能になる。
【符号の説明】
【００１２】
１００    シート状本体
１１０    柄
１１５    取付け具
１１７    固定穴
Ｓ        靴
Ｄ        往復式発電機
ＤＳ      バネ
Ｄ１      往復桿体
ＷＤ      引っ張り式発電機
Ｗ        紐体
Ｃ      防滴カバー
【図１】
2014090886.tif 000003
【図２】
2014090886.tif 000004
【図３】
2014090886.tif 000005
【図４】
2014090886.tif 000006
【図５】
2014090886.tif 000007
【図６】
2014090886.tif 000008
【図７】
2014090886.tif 000009